(57)【要約】【課題】許容された誤差範囲内でカートリッジに取付けられたカートリッジ側コネクタが装着部に装着される際に装着部側コネクタに確実に接続されると共に、コネクタ部分にカートリッジの重量が加わって損傷させることがないカートリッジ装着装置を提供する。【解決手段】カートリッジ側コネクタ１０２を装着部側コネクタ３０３に接続して装着部３０２に装着されるカートリッジ１０をロックするロック機構３０５を設け、装着部側コネクタ３０３を装着部３０２に対して許容された誤差範囲内でもって変位して取付けるための取付け機構３０４を設け、カートリッジ側コネクタ１０２の取付け位置のばらつきを装着部側コネクタ３０３を変位させることによって吸収する。【選択図】図１０
2011003253.tif 000002
【特許請求の範囲】
【請求項１】
カートリッジを交換可能に装着するカートリッジ装着装置であって、
カートリッジ側コネクタの取付け位置に予め定めた誤差範囲を与えてなるカートリッジを着脱自在に装着する装着部と、
前記カートリッジ側コネクタと接続する装着部側コネクタと、
前記装着部側コネクタを前記装着部に対して許容された前記誤差範囲内でもって変位自在に取付けるための取付け手段と、
を備えたことを特徴とするカートリッジ装着装置
【請求項２】
前記取付け手段は、
前記装着側コネクタを保持するホルダーと、
前記ホルダーの両端において前記カートリッジの厚み方向を中心軸の方向とすると共に、前記カートリッジの幅方向に広がる楕円形状でもって形成された取付け用孔と、
前記装着部に垂立して設けられ前記取付け用孔に挿入され前記ホルダーを前記カートリッジの幅方向に変位させると共に、前記ホルダーを前記カートリッジの厚み方向に変位させる長さを有する取付け用円柱と、有し、
前記許容範囲内で前記装着部側コネクタを前記装着部に対して前記カートリッジの幅方向及び厚み方向に変位自在に取付けてなることを特徴とする請求項１に記載のカートリッジ装着装置。
【請求項３】
前記取付け手段の変位動作に制動を加える制動手段を備えたことを特徴とする請求項２に記載のカートリッジ装着装置。
【請求項４】
前記制動手段は、基部を前記装着部に固定し遊端を前記ホルダーに当接して設けた弾性材からなる制動用押圧片によって構成したことを特徴とする請求項３に記載のカートリッジ装着装置。
【請求項５】
前記カートリッジ側コネクタと前記装着部側コネクタを接続して前記カートリッジが前記装着部に装着された状態をロックするロック機構を備えたことを特徴とする請求項１ないし請求項４のいずれか１項に記載のカートリッジ装着装置。
【請求項６】
請求項１ないし請求項５に記載のカートリッジ装着装置を備え、前記カートリッジ装着装置に装着されたカートリッジに内蔵された記録媒体に情報を記録することと前記記録媒体に記録された情報を再生することのうち少なくとも一方を行うことを特徴とするカートリッジ装着装置を備えた電子機器。
【発明の詳細な説明】
【技術分野】
【０００１】
本発明は、情報を記憶する記憶媒体を内蔵したカートリッジを装着するカートリッジ装着装置及びその装置を備えた電子機器に関し、特に、カートリッジがコネクタを介してカートリッジ装着装置に着脱自在に装着されるカートリッジ装着装置及びその装置を備えた電子機器に関するものである。
【背景技術】
【０００２】
コンピュータは大きな記憶容量を必要とするため、その情報記憶装置にはハードディスクドライブ、光ディスクドライブなどの情報記憶ドライブが適用されている。この種の情報記憶装置には、下記の特許文献１（特開平１１−１４９７５３号公報）で示すように情報記憶ドライブを適宜交換して利用性の向上を図ったものがある。
【０００３】
この情報記憶装置は、情報記憶装置を構成するハウジングに複数のＨＤＤ（ハードディスクドライブ）ユニットを着脱自在に装着するものである。ＨＤＤユニットはＨＤＤ（ハードディスクドライブ）、トレイ及び脱着機構を備えている。この脱着機構は、ＨＤＤユニットに設けられた回動自在な操作レバーと、操作レバーの回動操作に連動する押圧爪を有している。ＨＤＤユニットの装着時には、操作レバーを回動することにより押圧爪がハウジングと係合すると共にＨＤＤユニットを押圧して移動させ、ＨＤＤユニット側のコネクタとハウジング側のコネクタとを接続させる。
【０００４】
このようにしてＨＤＤユニットはハウジングに装着されるが、ハウジングから取出す場合は操作レバーを反対方向に回動させる。この操作レバーの回動によって、押圧爪のハウジングへの係合が解除され、ハウジングが押出されてコネクタの接続が解除される。従って、ＨＤＤユニットはハウジングから取出すことが可能になる。
【０００５】
また近年、映像、音楽、プログラム等の多様なコンテンツがデータ配信、テレビジョン放送等を介して記憶媒体に記録され、情報家電機器、車載機器、モバイル機器等の各種機器において再生されて利用されている。そして、この種のコンテンツはデータの高品質・高画質化が進みデータ量が格段に大きくなってきているため、これを記録するためには大容量の記憶媒体を必要とする。
【０００６】
そこで、このような必要性を満たし、互換性を有する記憶媒体として、例えば、ｉＶＤＲ（ｉｎｆｏｒｍａｔｉｏｎ  Ｖｅｒｓａｔｉｌｅ  Ｄｉｓｋ  ｆｏｒ  Ｒｅｍｏｖａｂｌｅ  ｕｓａｇｅ）と称するハードディスクを記録媒体とするカートリッジが規格化されている。図１４はｉＶＤＲ規格に基づいたカートリッジの外観を示す斜視図である。このカートリッジ１０は、図１４で示すように、幅Ｗが８０ｍｍ、長さＬが１１０ｍｍ、厚みＳが１２，７ｍｍの矩形で単純な形状のハウジング１０１からなり、ハードディスクドライブを内蔵したものである。
【０００７】
図１５は図１４において示すカートリッジの平面図又は断面図であり、図１５（ａ）はカートリッジの外観を示す平面図、図１５（ｂ）は図１３における線Ｅ−Ｅを断面としてカートリッジのハウジング底面を除去した平面図、図１５（ｃ）は図１５（ｂ）における線Ｆ−Ｆを断面としたカートリッジのコネクタ部分の断面図である。
【０００８】
図１４、図１５（ｂ）で示すように、このハウジング１０１の一側面にはカートリッジ側コネクタ１０２が設けられている。カートリッジ１０は、情報家電機器等の電子機器に内蔵されたカートリッジ装着装置に着脱自在に装着され、カートリッジ側コネクタ１０２とカートリッジ装着装置側のコネクタとが接続されるようになっている。
【０００９】
このように上記特許文献１に示す従来の情報記憶装置を更に発展させて規格化を図ったｉＶＤＲは、規格に合致したカートリッジ１０を比較的容易に生産できる。そのため、この大きな記憶容量のカートリッジ１０はユニバーサルタイプとして幅広い活用が望まれている。
【先行技術文献】
【特許文献】
【００１０】
【特許文献１】特開平１１−１４９７５３号公報（段落［００５９］〜段落［００７０］）
【発明の概要】
【発明が解決しようとする課題】
【００１１】
ところで、ｉＶＤＲ規格では、カートリッジ１０の生産性の向上の観点からカートリッジ側コネクタ１０２の寸法に許容値を設けている。この値は、図１５（ｂ）、図１５（ｃ）で示すように、カートリッジ１０の幅Ｗの中心とコネクタ１０２の中央との距離Ｐが４．８±０．３ｍｍ、カートリッジ１０の下面からコネクタ１０２の上面までの距離Ｑが４．９±０．５ｍｍ、カートリッジ１０の側面からコネクタ１０２の先端までの距離Ｒが２．５±０．５ｍｍに設定されている。そして、カートリッジ装着装置は、この許容範囲内にあるすべてのカートリッジ１０を装着するため、装着状態でカートリッジ１０をガイドして保持するガイド保持機構に予め±０．５ｍｍ程度のガタを設けておく。
【００１２】
即ち、図１０で示すように、Ｙ軸方向に挿入されるカートリッジ１０は、カートリッジ装着装置に対しその装着部分においてＹ軸に直交するＸ軸とＺ軸方向に上記規格上の許容範囲に相当するガタを有するようになっている。そのため、カートリッジ側コネクタ１０２がカートリッジ装着装置側のコネクタに接続されたとき、カートリッジ１０が上記規格上の許容範囲内でＸ軸及びＺ軸方向で変位して装着される。
しかしながら、上述したようにガイド保持機構に予めガタを設けたカートリッジ装着装置は、カートリッジ自体がコネクタ部分でカートリッジ装着装置に支持されることがある。そのため、コネクタ部分にカートリッジの重量が加わり、コネクタに大きなストレスを与えて著しい磨耗、破損等を発生させてしまうおそれがあった。また、カートリッジをロック機構でロックする場合、ガタのためにロックが確実にできないという問題点があった。
【００１３】
そこで、本発明は、上記の問題点を解消することを課題とし、寸法に許容範囲を設けたカートリッジを所定の品質を維持して確実に装着することを可能にしたカートリッジ装着装置及びその装置を備えた電子機器を提供することを目的とするものである。
【課題を解決するための手段】
【００１４】
前記課題を解決するために、本願の請求項１に係るカートリッジ装着装置の発明は、カートリッジを交換可能に装着するカートリッジ装着装置であって、カートリッジ側コネクタの取付け位置に予め定めた誤差範囲を与えてなるカートリッジを着脱自在に装着する装着部（例えば下記実施例では、装着部３０２）と、前記カートリッジ側コネクタと接続する装着部側コネクタ（例えば下記実施例では、装着部側コネクタ３０３）と、前記装着部側コネクタを前記装着部に対して許容された前記誤差範囲内でもって変位自在に取付けるための取付け手段（例えば下記実施例では、取付け機構３０４）と、を備えたことを特徴とする。
【００１５】
また、本願の請求項２に係る発明は、請求項１に係るカートリッジ装着装置において、  前記取付け手段は、前記装着側コネクタを保持するホルダー（例えば下記実施例では、ホルダー３１０）と、前記ホルダーの両端において前記カートリッジの厚み方向を中心軸の方向とすると共に、前記カートリッジの幅方向に広がる楕円形状でもって形成された取付け用孔（例えば下記実施例では、取付け用孔３１１）と、前記装着部に垂立して設けられ前記取付け用孔に挿入され前記ホルダーを前記カートリッジの幅方向に変位させると共に、前記ホルダーを前記カートリッジの厚み方向に変位させる長さを有する取付け用円柱（例えば下記実施例では、取付け用円柱３１２）と、有し、前記許容範囲内で前記装着部側コネクタを前記装着部に対して前記カートリッジの幅方向及び厚み方向に変位自在に取付けてなることを特徴とする。
【００１６】
また、本願の請求項３に係る発明は、請求項２に係るカートリッジ装着装置において、前記取付け手段の変位動作に制動を加える制動手段を備えたことを特徴とする。
【００１７】
また、本願の請求項４に係る発明は、請求項３に係るカートリッジ装着装置において、前記制動手段は、基部を前記装着部に固定し遊端を前記ホルダーに当接して設けた弾性材からなる制動用押圧片（例えば下記実施例では、制動用押圧片３１６）によって構成したことを特徴とする。
【００１８】
また、本願の請求項５に係る発明は、請求項１ないし請求項４のいずれか１項に係るカートリッジ装着装置において、前記カートリッジ側コネクタと前記装着部側コネクタを接続して前記カートリッジが前記装着部に装着された状態をロックするロック機構（例えば下記実施例では、ロック機構３０５）を備えたことを特徴とする。
【００１９】
また、本願の請求項６に係る電子機器の発明は、請求項１ないし請求項５に記載のカートリッジ装着装置を備え、前記カートリッジ装着装置に装着されたカートリッジに内蔵された記録媒体に情報を記録することと前記記録媒体に記録された情報を再生することのうち少なくとも一方を行うことを特徴とする。
【発明の効果】
【００２０】
請求項１に係る発明のカートリッジ装着装置においては、カートリッジ側コネクタの取付け位置は許容された誤差範囲内でばらつく。しかし、このばらつきによる装着部側コネクタとの相対する位置の不一致は、装着部への装着の際に装着部カートリッジが取付け手段により両者を合致させるように変位する。そのため、カートリッジ側コネクタの取付け位置にばらつきがあってもこれを吸収して装着部側コネクタに正確に接続することができる。
【００２１】
また、取付け手段がカートリッジ側コネクタの取付け位置のばらつきを吸収するため、カートリッジを保持する保持部分にはガタを積極的に設ける必要がない。そのため、コネクタ部分にカートリッジの重量が加わることがないので、コネクタ部分に大きなストレスを与えて磨耗、破損等を生じさせる問題点を除去する。
【００２２】
また、請求項２に係る発明は、請求項１に係るカートリッジ装着装置において、ホルダーに楕円形状の取付け孔を形成し、この取付け用孔に挿入される取付け用円柱を装着部に形成するだけの簡単な構成の取付け手段でもって許容された誤差範囲内で装着部側コネクタを確実に変位することができる。
【００２３】
また、請求項３に係る発明のカートリッジ装着装置においては、制動手段によって取付け手段は変位動作に制動が加えられているためカートリッジを装着部に装着していないときに外力によって変位して騒音を発生してしまうことがない。
【００２４】
また、請求項４に係る発明のカートリッジ装着装置においては、ホルダーの変位動作を制動する制動手段は基部を固定のための占有面積が十分にとれる装着部に固定した制動用押圧片によって構成したので、特に、カートリッジ搭載装置が小型の場合に好適なものである。
【００２５】
また、請求項５に係る発明のカートリッジ装着装置においては、ロック機構によってカートリッジの装着状態が確実なものとなる。特に、カートリッジの保持部分にはガタがないので、カートリッジは装着部内で常に定められた位置に位置されるため、ロック機構によってロックしたときにカートリッジが常に正確にロックされる。
【００２６】
また、請求項６に係る発明の電子機器においては、装着部側コネクタに正確に接続されたカートリッジに内蔵された記録媒体に情報を記録したり、記録媒体に記録された情報を再生したりすることが可能となる。
【図面の簡単な説明】
【００２７】
【図１】本発明の実施例に係るカートリッジ装着装置を備えた電子機器であって、カートリッジの装着前の状態を示す斜視図である。
【図２】図１における電子機器の背面図である。
【図３】図１における電子機器であって、カートリッジの装着状態を示す斜視図である。
【図４】図１における電子機器において、電子機器上カバーを取り除くと共にカートリッジ装着装置のカバーの上面を除去した状態の斜視図である。
【図５】本発明の実施例に係るカートリッジ装着装置の外観を示す図であり、(ａ)はカートリッジ装着装置の外観を示す平面図、（ｂ）はカートリッジ装着装置の外観を示す側面図である。
【図６】図５におけるカートリッジ装着装置を分解した下方からみた斜視図であり、（ａ）はカートリッジ装着装置を下方前方からみた斜視図、（ｂ）はカートリッジ装着装置を下方後方からみた斜視図である。
【図７】図４におけるカートリッジ装着部側コネクタ及び取付け機構を示す図であり、（ａ）はカートリッジ装着部側コネクタ及び取付け機構を示す斜視図、（ｂ）は（ａ）においてカートリッジ装着部側コネクタと取付け機構部分を分解して示す斜視図である。
【図８】図４におけるホルダーに形成された取付け用孔部分を拡大して示す平面図である。
【図９】図５（ａ）におけるカートリッジ装着装置の部分的な断面図であり、（ａ）は図５（ａ）における線Ａ−Ａを断面としたカートリッジ装着装置の部分的な断面図、（ｂ）は図５（ａ）における線Ｂ−Ｂを断面としたカートリッジ装着装置の部分的な断面図である。
【図１０】本発明の実施例に係るカートリッジ装着装置において、カバーの上面を除去した装着部に、ハウジングの一部をコネクタが露出するように除去したカートリッジを挿入したとき、コネクタが接続する直前の状態を示す斜視図である。
【図１１】図１０においてコネクタが嵌合してカートリッジが装着された状態を示すカートリッジ装着装置部分の平面図である。
【図１２】本発明の実施例に係るカートリッジ装着装置において、カートリッジを挿入したとき、コネクタが接続する直前の状態を示す図であり、（ａ）はカートリッジ装着装置の外観を示す側面図、（ｂ）は図１０における線Ｃ−Ｃを断面とした場合のカートリッジ装着装置の部分的な断面図である。
【図１３】本発明の実施例に係るカートリッジ装着装置において、コネクタが嵌合してカートリッジが装着された状態を示す図であり、（ａ）はカートリッジ装着装置の外観を示す側面図、（ｂ）は図１１における線Ｄ−Ｄを断面とした場合のカートリッジ装着装置の部分的な断面図である。
【図１４】本発明に適用されるｉＶＤＲ規格に基づいたカートリッジの外観を示す斜視図である。
【図１５】図１４において示すカートリッジの平面図又は断面図であり、(ａ)はカートリッジの外観を示す平面図であり、（ｂ）は図１４における線Ｅ−Ｅを断面としてカートリッジのハウジング底面を除去した平面図であり、（ｃ）は（ｂ）における線Ｆ−Ｆを断面としたカートリッジのコネクタ部分の断面図である。
【発明を実施するための形態】
【００２８】
以下、本発明の具体例を実施例および図面を用いて詳細に説明する。但し、以下に示す実施例は、本発明の技術思想を具体化するためのカートリッジ装着装置及びその装置を備えた電子機器を例示するものであって、本発明をこのカートリッジ装着装置及び電子機器に特定することを意図するものではなく、特許請求の範囲に含まれるその他の実施形態のカートリッジ装着装置及び電子機器にも等しく適用し得るものである。
【実施例】
【００２９】
図１は本発明の実施例に係るカートリッジ装着装置を備えた電子機器であって、カートリッジの装着前の状態を示す斜視図、図２は図１における電子機器の背面図、図３は図１における電子機器であって、カートリッジの装着状態を示す斜視図である。
【００３０】
本発明の実施例に係る電子機器２０は、図１で示すように、カートリッジ１０を電子機器２０に内蔵されたカートリッジ装着装置３０に挿入するためのスロット２０１が前面に設けられており、隣接して電源ボタン２０２、リーモートコントロール用の赤外線センサー２０３、ｉＶＤＲ動作表示ランプ２０４、録画予約表示ランプ２０５、通電表示ランプ２０６が設けられている。スロット２０１は、図３で示すように、装着状態のカートリッジ１０を取出す際につまむことができるように切り欠かれており、カートリッジ１０部分が露出している。
【００３１】
本発明に適用されるｉＶＤＲ規格に基づいたカートリッジ１０は、図１で示すように、所定規格のハウジング１０１からなり、ハウジング１０１の両側面にはガイドレール１０３が形成され、図１で示すようにカートリッジ１０がカートリッジ装着装置の挿入口２０１に挿入するようになっている。ガイドレール１０３にはロック用の凹部１０４が形成され、図３で示すカートリッジ１０の装着状態でカートリッジ装着装置３０のロック機構の突起が係合するようになっている。
【００３２】
電子機器２０の側面にはＢ−ＣＡＳ（登録商標）カードを挿入するためのスロットを覆うスロットカバー２０７が設けられている。また、図２で示すように、電子機器２０の背面には、ＡＣ電源入力端子２０８、アンテナ入力端子２０９、アンテナ出力端子２１０、映像出力端子２１１、音声出力端子２１２、デジタル映像・音声を入出力するためのＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）端子２１３、排熱口２１４等が設けられている。
【００３３】
電子機器２０は、受信された映像信号等をカートリッジ１０内のハードディスクに記録し、またハードディスクに記録した記録情報を再生するレコーダである。このため、電子機器２０は、アンテナ入力端子２０９やＨＤＭＩ端子２１３等から入力された映像信号、音声信号を受信するための信号受信回路、カートリッジ１０が電子機器４０に装着されると受信された映像信号等をハードディスクに記録したり、ハードディスクに記録された映像信号を再生したりするための信号処理回路等を備えている。
【００３４】
図４は、図１における電子機器において、電子機器上カバーを取り除くと共にカートリッジ装着装置のカバーの上面を除去した状態の斜視図である。図５は、本発明の実施例に係るカートリッジ装着装置の外観を示す図であり、図５(ａ)はカートリッジ装着装置の外観を示す平面図、図５（ｂ）はカートリッジ装着装置の外観を示す側面図である。図６は、図５におけるカートリッジ装着装置を分解した下方からみた斜視図であり、図６（ａ）はカートリッジ装着装置を下方前方からみた斜視図、図６（ｂ）はカートリッジ装着装置を下方後方からみた斜視図である。
【００３５】
本発明の実施例に係るカートリッジ装着装置３０は、図４で示すように、電子機器２０に組み込まれている。カートリッジ装着装置３０を電子機器２０に組み込む場合には、図５、図６で示すように、カートリッジ装着装置３０の底面用プレート３０６が４つのねじ２１５−１〜２１５−４（図４においてねじ２１５−４は図示されず）によって着脱可能に取り付けられる。
【００３６】
カートリッジ装着装置３０は、挿入口３０１と、ｉＶＤＲ規格に基づき製造されたカートリッジ１０を装着する装着部３０２と、カートリッジ側コネクタ１０２と接続する装着部側コネクタ３０３と、装着部側コネクタ３０３を装着部３０２に取付けるための取付け手段である取付け機構３０４と、カートリッジ１０をロックするロック機構３０５とから構成されている。
【００３７】
装着部３０２は、図６で示すように、底面用プレート３０６と、三方に側壁を有するカバー３０７と、カバー３０７の両側壁に設けられたカートリッジ１０のガイドレール１０３が係合するガイド３０８とから構成され、カートリッジ１０が装着されるようになっている。なお、カバー３０７と底面用プレート３０６とは、図４、図５で示すように、４つのねじ３２０−１〜３２０−４によって締結されている。
【００３８】
図７は、図４におけるカートリッジ装着部側コネクタ及び取付け機構を示す図であり、図７（ａ）はカートリッジ装着部側コネクタ及び取付け機構を示す斜視図、図７（ｂ）は（ａ）においてカートリッジ装着部側コネクタと取付け機構部分を分解して示す斜視図である。図８は、図４におけるホルダーに形成された取付け用孔部分を拡大して示す平面図である。図９は、図５（ａ）におけるカートリッジ装着装置の部分的な断面図であり、図９（ａ）は図５（ａ）における線Ａ−Ａを断面としたカートリッジ装着装置の部分的な断面図、図９（ｂ）は図５（ａ）における線Ｂ−Ｂを断面としたカートリッジ装着装置の部分的な断面図である。
【００３９】
取付け機構３０４は、図６、図７で示すように、装着部側コネクタ３０３をボルト３２１ａとナット３２１ｂからなる締結部材３２１によって一体に保持するホルダー３１０と、ホルダー３１０の両端に形成されたＺ軸方向（カートリッジ１０の厚み方向）を中心軸の方向とする取付け用孔３１１と、カバー３０７側に垂立して設けられ取付け用孔３１１に挿入される二つの取付け用円柱３１２とから構成されている。装着部側コネクタ３０３には、他端が電子機器２０に接続されるケーブル３０９の一端が接続されている。そして、ケーブル３０９はホルダー３１０に形成された開口３１３を通じて取付け機構３０４から引き出されている。
【００４０】
取付け用孔３１１は、図８で示すように、カートリッジ１０の幅方向（Ｘ軸方向）に広がるように楕円形状に形成され、ホルダー３１０が取付け用円柱３１２に対してＸ軸方向に変位可能になっている。この変位可能な範囲は取付け用孔３１１の内壁と取付け用円柱３１２の外壁との間に生ずる間隙ＧＸ（ｇｘ１＋ｇｘ２）である。この間隙ＧＸは前述した規格上で許容されたカートリッジ１０の幅方向の誤差範囲に相当する値に定められている。
【００４１】
また、図９（ａ）で示すように、取付け用円柱３１２はその段部３１４と取付け用孔３１１の端部分に相当するホルダー３１０の表面３１５との間に間隙ＧＺを生じるように若干長く形成されている。そして、ホルダー３１０が取付け用円柱３１２の軸方向、即ちＺ軸方向に変位可能に取付けられている。このＺ軸方向の変位量は前述した規格上の許容されたカートリッジ１０の厚み方向の誤差範囲に相当する値に定められている。
【００４２】
装着部３０２とホルダー３１０との間にはホルダー３１０の変位動作を制動するための制動手段を構成する二つの制動用押圧片３１６が設けられている。この制動用押圧片３１６は、基部が装着部３０２におけるカバー３０７の側壁に固定され、遊端がホルダー３１０の側面に当接された金属製の弾性板からなる。そして、制動押圧片３１６の制動力は、ホルダー３１０がコネクタの嵌合のために変位する動作に対しては制限せず、コネクタ同士が接続していない状態ではホルダー３１０の変位動作を制限する値（程度）に設定されている。
【００４３】
ロック機構３０５は、図４、図５、図６で示すように、カバー３０７の両側に回動自在に取付けられたアーム３１７と、アーム３１７の先端に取付けられ装着されたカートリッジ１０の凹部１０４に対応する位置に突出する凸部３１８と、アーム３１７を常に回動させて凸部３１８を凹部１０４に当たるように偏倚させるスプリング３１９とから構成されている。図９（ｂ）で示すように、凸部３１８は傾斜面を有しており、凸部３１８が凹部１０４に係合した状態でカートリッジ１０を引き出すと傾斜面によってアーム３１７がスプリング３１９の偏倚力に逆らって回動され、凸部３１８と凹部１０４の係合状態が解除されるようになっている。
【００４４】
次に、上述した実施例における電子機器２０のカートリッジ装着装置３０にカートリッジ１０を装着する動作を説明する。図１０は、本発明の実施例に係るカートリッジ装着装置において、カバーの上面を除去した装着部に、ハウジングの一部をコネクタが露出するように除去したカートリッジを挿入したとき、コネクタが接続する直前の状態を示す斜視図である。図１１は、図１０においてコネクタが嵌合してカートリッジが装着された状態を示すカートリッジ装着装置部分の平面図である。
【００４５】
また、図１２は、本発明の実施例に係るカートリッジ装着装置において、カートリッジを挿入したとき、コネクタが接続する直前の状態を示す図であり、図１２（ａ）はカートリッジ装着装置の外観を示す側面図、図１２（ｂ）は図１０における線Ｃ−Ｃを断面とした場合のカートリッジ装着装置の部分的な断面図である。図１３は、本発明の実施例に係るカートリッジ装着装置において、コネクタが嵌合してカートリッジが装着された状態を示す図であり、図１３（ａ）はカートリッジ装着装置の外観を示す側面図、図１３（ｂ）は図１１における線Ｄ−Ｄを断面とした場合のカートリッジ装着装置の部分的な断面図である。
【００４６】
まず、図１で示すように、カートリッジ１０を挿入口２０１（図４の３０１）から装着部３０２内に挿入する。図１０で示すように、この挿入によってガイドレール１０３がガイド３０８（図４参照）に係合してカートリッジ１０を装着部３０２内へとガイドする。
【００４７】
次に、図１１で示すように、カートリッジ１０を強く押し込むとカートリッジ側コネクタ１０２が装着部側コネクタ３０３に嵌合される。この嵌合の際、装着部側コネクタ３０３はカートリッジ側コネクタ１０２に合致するようにＸ軸及びＺ軸方向に変位する。同時に、図１３（ｂ）で示すように、ロック機構３０５はその凸部３１８がカートリッジ１０側の凹部１０４に係合することによってカートリッジ１０を装着部３０２にロックする。このロック状態はスプリング３１９によって維持され外部からの振動等によって凸部３１８が凹部１０４から離脱してしまうことがない。
【００４８】
このように、そのカートリッジ側コネクタ１０２の取付け位置に誤差があっても装着部３０２側で装着部側コネクタ３０３がカートリッジ側コネクタ１０２に合致する位置に変位する。このＸ軸方向の変位は取付け用円柱３１２と楕円状の取付け用孔３１１との間に生じる間隙ＧＸだけ変位する。一方、Ｚ軸方向の変位は間隙ＧＺだけ変位する。
【００４９】
従って、ガイドレール１０３によってガイドされるカートリッジ１０は、カートリッジ側コネクタ１０２の取付け位置の誤差に影響されないため、常にロック機構３０５によって確実にロックされる正規の装着位置をとる。
【００５０】
なお、Ｙ軸方向の誤差については、装着部側コネクタ３０３とカートリッジ側コネクタ１０２の各コネクタ端子の長さを予め調整することにより、カートリッジ１０が上記規格上の許容範囲内で装着できるようになっている。
【００５１】
カートリッジ１０をカートリッジ装着装置３０から取出す場合は、図３に示すように、挿入口２０１に露出しているカートリッジ１０部分をつまんで引出す。この引出し力によって凸部３１８が凹部１０４から離脱してロック状態が解除される。このロック解除は、図１３（ｂ）で示すように、引出し力によって凹部１０４の角で凸部３１８の傾斜面を押圧し、アーム３１７をスプリング３１９の弾性力に逆らって回動させ、凸部３１８を凹部１０４から離脱させることによって行われる。ロック解除動作と共に、図１２（ｂ）に示すように、カートリッジ側コネクタ１０２は装着部側コネクタ３０３から離脱される。そのため、カートリッジ１０は装着部３０２から取出すことができる。
【００５２】
装着部３０２にカートリッジ１０が装着されていないときには、ホルダー３１０はＸ軸とＺ軸方向に自由に変位できる。しかし、ホルダー３１０はその側面に制動用押圧片３１６の遊端が当接して振動等の外力によっては変位しない程度の制動力を受けている。従って、ホルダー３１０はコネクタの嵌合のための位置合せの際に発生する力では変位するが、非装着状態で加わる振動等の外力では変位しない。
【００５３】
このように、本実施例のカートリッジ装着装置３０によれば、カートリッジ装着装置３０はホルダー３１０が装着部３０２に対してカートリッジ側コネクタ１０２のハウジング１０１に対する取付け位置の許容範囲内でＸ軸とＺ軸方向に変位する。そのため、カートリッジ１０を装着部３０２に装着した状態ではカートリッジ側コネクタ１０２に装着部側コネクタ３０３が合致するように変位して接続される。
【００５４】
そのため、カートリッジ１０はガイドレール１０３がガイド保持機構となるガイド３０８にガタつきのない状態で保持される。従って、コネクタ部分にカートリッジ１０の重量が加わり、カートリッジ側コネクタ１０２と装着部側コネクタ３０３に大きなストレスを与えることがない。その結果、コネクタ部分において著しい磨耗、破損等を発生させてしまうことがない。特に、重量のあるハードディスクドライブを用いたカートリッジ１０ではその効果が著しい。また、ロック機構３０５はガイド保持機構部分にガタがないので確実にカートリッジ１０を装着部３０２にロックすることができる。
【００５５】
カートリッジ側コネクタ１０２のＸ軸方向、Ｚ軸方向の変位は、そのホルダー３１０に形成した楕円形状の取付け用孔３１１と装着部３０２のカバー３０７に設けた取付け用円柱３１２とによって達成させる。そのため、この変位量は取付け用孔３１１、取付け用円柱３１２の簡単な形状によって正確に定めることができる。
【００５６】
ホルダー３１０は制動用押圧片３１６によって振動等の外力により変位しないように制動を受けている。そのため、ホルダー３１０はカートリッジ１０の非装着状態において変位して騒音等を発生しない。また、制動用押圧片３１６は基部が装着部３０２に固定されているので、特に小型の装置においてはホルダー３１０側に何らの加工を施すことなく確実に固定して取付けることができる。
【００５７】
なお、上記実施例においては、カートリッジ１０はｉＶＤＲ規格に基づくものであるが、本発明はこれに限定されるものではない。すなわち、カートリッジ１０はカートリッジ側コネクタ１０１のハウジング１０１へ取付け寸法誤差がｉＶＤＲ規格に基づかない他の任意の許容範囲のものであってもよい。この場合は、装着部３０２に対するホルダー３１０の変位量は予め任意の許容範囲に対応して設定すればよい。
【００５８】
また、上記実施例においては、カートリッジ１０に内蔵される記録媒体をハードディスクとしたが、本発明はこれに限定されることなく、光ディスク等の他の記録媒体を適用してもよい。
【００５９】
また、上記実施例においては、電子機器２０は映像信号等をカートリッジ１０に内蔵したハードディスク等に記録し、これを再生するレコーダとしたが、本発明はこれに限定されることなく、記録専用機や再生専用機などにも適用できる。
【符号の説明】
【００６０】
１０      カートリッジ
２０      電子機器
３０      カートリッジ装着装置
１０１    ハウジング
１０２    カートリッジ側コネクタ
１０３    ガイドレール
１０４    凹部
３０１    挿入口
３０２    装着部
３０３    装着部側コネクタ
３０４    取付け機構
３０５    ロック機構
３０６    底面用プレート
３０７    カバー
３０８    ガイド
３０９    ケーブル
３１０    ホルダー
３１１    取付け用孔
３１２    取付け用円柱
３１３    開口
３１４    段部
３１５    表面
３１６    制動用押圧片
３１７    アーム
３１８    凸部
３１９    スプリング
３２０−１,３２０−２，３２０−３，３２０−４    ねじ
３２１    締結部材
【図１】
2011003253.tif 000003
【図２】
2011003253.tif 000004
【図３】
2011003253.tif 000005
【図４】
2011003253.tif 000006
【図５】
2011003253.tif 000007
【図６】
2011003253.tif 000008
【図７】
2011003253.tif 000009
【図８】
2011003253.tif 000010
【図９】
2011003253.tif 000011
【図１０】
2011003253.tif 000012
【図１１】
2011003253.tif 000013
【図１２】
2011003253.tif 000014
【図１３】
2011003253.tif 000015
【図１４】
2011003253.tif 000016
【図１５】
2011003253.tif 000017